(57)【特許請求の範囲】
【請求項１】
２本の桁材間に湾曲した垂木を複数取付け、該垂木間にパネルを配設してなる組立屋根において、
前記垂木は端面が前記桁材側面に連結固定されると共に、上面の前記桁材との連結部分近傍に排水板を取付けてなり、該排水板は一端部は前記垂木に固定されると共に、他端部は前記桁材上方に位置させてなることを特徴とする組立屋根。
【請求項２】
前記排水板は両側部にそれぞれ壁部が設けられてなることを特徴とする請求項１記載の組立屋根。
【請求項３】
前記排水板は前記垂木のみに対して固定され、前記桁材の上面とは所定間隔を有して離隔するように配置されることを特徴とする請求項１または２記載の組立屋根。
【発明の詳細な説明】
【技術分野】
【０００１】
本発明は、渡り廊下等を構成する組立屋根に関し、特に垂木と桁材間の水漏れを防止することのできる組立屋根に関する。
【背景技術】
【０００２】
従来から、渡り廊下等の簡易建築物の屋根として組立屋根が用いられている。組立屋根は、２本の桁材間にそれらをまたぐように垂木を複数取付け、各垂木間にアクリル板等のパネルを配設して構成されるものである。このような組立屋根としては、例えば特許文献１に挙げるようなものがある。
【特許文献１】特開平８−１５８６７９号公報
【０００３】
パネルは、周縁部の下面を垂木に支持され、上面を垂木の上方に設けられる押さえ材によって押圧されて固定される。ここで、パネルの両面はそれぞれ水密材を介して支持ないし押圧されるが、水の浸入を完全に防止することは困難であるため、一部の水は垂木の上面に浸入する。浸入した水は垂木を伝わって桁材に導かれ、桁材に設けられる排水溝を介して外部に排出するようにしていた。また、垂木と桁材の連結部分には、水漏れを防ぐためにシーリング材が設けられていた。
【発明の開示】
【発明が解決しようとする課題】
【０００４】
しかし、シーリング材のみによっては、防水性が充分に確保されない場合があり、垂木と桁材の連結部分から浸入した水が組立屋根の下方に流下することがあった。特に、組立屋根を曲がり角または傾斜地に合わせて設置する際にシーリング材で充分な防水ができない場合があった。この場合、桁材を水平方向または上下方向に互いに角度を持たせて連結し、その連結部分に垂木を設ける構造となっていて、垂木と桁材は直交しない状態で連結されている。垂木と桁材が直交するように連結されている場合には、シーリング材によってある程度の防水性を確保することはできるものの、垂木と桁材が互いに直交することなく連結される場合には、シーリング材のみでは充分な防水をなすことに限界があった。
【０００５】
本発明は、上記課題を解決すべくなされたものであり、垂木に浸入した水を確実に桁材に導くことのできる組立屋根を提供することを目的とする。
【課題を解決するための手段】
【０００６】
上記課題を解決するため、本発明に係る組立屋根は、２本の桁材間に湾曲した垂木を複数取付け、該垂木間にパネルを配設してなる組立屋根において、
前記垂木は端面が前記桁材側面に連結固定されると共に、上面の前記桁材との連結部分近傍に排水板を取付けてなり、該排水板は一端部は前記垂木に固定されると共に、他端部は前記桁材上方に位置させてなることを特徴として構成されている。
【０００７】
また、本発明に係る組立屋根は、前記排水板は両側部にそれぞれ壁部が設けられてなることを特徴として構成されている。
【０００８】
さらに、本発明に係る組立屋根は、前記排水板は前記垂木のみに対して固定され、前記桁材の上面とは所定間隔を有して離隔するように配置されることを特徴として構成されている。
【発明の効果】
【０００９】
本発明に係る組立屋根によれば、垂木は端面が桁材側面に連結固定されると共に、上面の桁材との連結部分近傍に排水板を取付けてなり、排水板は一端部は垂木に固定されると共に、他端部は桁材上方に位置させてなることにより、垂木からの水は排水板を介して桁材上面に導くことができるので、垂木と桁材の連結の継ぎ目に水を浸入させにくくすることができ、一方で垂木と排水板の防水は確実になすことができるので、垂木から桁材にかけての防水性を高めて、垂木に浸入した水を確実に桁材に導くことができる。
【００１０】
また、本発明に係る組立屋根によれば、排水板は両側部にそれぞれ壁部が設けられてなることにより、排水板に浸入した水を確実に桁材に導くことができる。
【００１１】
さらに、本発明に係る組立屋根によれば、排水板は垂木のみに対して固定され、桁材の上面とは所定間隔を有して離隔するように配置されることにより、垂木と排水板間の防水処理のみで確実に垂木から桁材にかけての防水性を確保することができる。
【発明を実施するための最良の形態】
【００１２】
本発明の実施形態について図面に沿って詳細に説明する。本実施形態では、本発明を適用した組立屋根を用いた渡り廊下屋根について説明する。図１には、第１の実施形態における組立屋根を用いた渡り廊下屋根の正面図を、図２には、渡り廊下屋根の側面図を、それぞれ示している。これら各図に示すように、本実施形態における渡り廊下屋根は、組立屋根１を地面の左右両側に立設される支柱２によって支持してなるものである。
【００１３】
組立屋根１は、支柱２に対して固定される桁材１０を左右２本有し、２本の桁材１０間に湾曲した垂木１１を複数懸架すると共に、各垂木１１間にアクリル板からなるパネル１２を設けて中央部を頂点に湾曲した平面状に構成してなるものである。組立屋根１上に降った雨は左右両側の桁材１０に向かって流れ、桁材１０に設けられる排水溝１０ａに導かれる。さらに排水溝１０ａは雨樋２０及び支柱２に設けられる排水管２１に連通しており、雨水はこの経路で外部に排水される。
【００１４】
図３には、垂木１１とパネル１２の断面図を示している。垂木１１は、断面中空状に形成されており、上面には取付部１１ａが形成されている。取付部１１ａに対しては垂木１１の上面を覆うような形状に形成された押さえ材１３がネジ止め固定される。そして、垂木１１と押さえ材１３によってパネル１２の周縁部の両面を挟持し、垂木１１間のパネル１２を固定する。
【００１５】
図４には、垂木１１と桁材１０の連結部分の断面図を示している。この図に示すように、垂木１１の端面１１ｂは、桁材１０の側面１０ｂに対して固定ブラケット１１ｃによって連結固定されている。また、桁材１０の側面１０ｂと反対側の端部には、前述の排水溝１０ａが形成されており、その開口１０ｃはパネル１２の上面及び垂木１１の上面よりも下方に位置している。
【００１６】
垂木１１と桁材１０の連結部分には、それをまたぐように排水板３０が設けられている。排水板３０は、一端部が垂木１１の上面に対し当接しネジ止め固定されている。一方、排水板３０の他端部は、桁材１０上面の上方に所定距離離隔して配置されている。すなわち、排水板３０は垂木１１にのみ固定され、桁材１０に対しては直接の固定はされていない。
【００１７】
図５には、垂木１１と桁材１０の連結部分の平面図を示している。この図に示すように、桁材１０の上面にはパネル１２の桁材１０側の周縁部を覆う周縁部カバー材１４が設けられている。ただし、垂木１１の延長上の部分には水を排水溝１０ａに導くために周縁部カバー材１４は設けられていない。
【００１８】
また、排水板３０は垂木１１の上面から桁材１０の上面にかけて設けられる板状の部材として形成され、垂木１１の取付部１１ａを避けるように略コ字状に形成されている。また、垂木１１においては取付部１１ａの両側方でそれぞれネジ止め固定されている。さらに、図３においても排水板３０が示されている。この図に示すように、排水板３０は両側部が立ち上がった壁部３０ａを有して断面溝状とされており、垂木１１からの水を確実に桁材１０の方に流すようにしている。
【００１９】
図６には、垂木１１と桁材１０の連結部分の分解斜視図を示している。この図では垂木１１と桁材１０は固定ブラケット１１ｃによって連結された状態を示している。排水板３０は、垂木１１と桁材１０の連結部分に対し、上方から取付けられ、垂木１１に対してネジ止め固定される。
【００２０】
また、図７には防水処理を施した状態の垂木１１と桁材１０の連結部分の斜視図を示している。この図に示すように排水板３０を垂木１１に固定したら、排水板３０と垂木１１の継ぎ目部分にシーリング材３１を設ける。排水板３０は垂木１１に対して水平に取付けられるため、シーリング材３１によって排水板３０と垂木１１の間の防水性を充分に確保することができる。
【００２１】
次に、本発明の第２の実施形態について説明する。本実施形態では、桁材１０を水平面内で所定の角度を持って連結する部分に、さらに垂木１１を連結したものを示す。このような構造は、渡り廊下屋根のコーナー部において用いられる。図８には、本実施形態における垂木１１と桁材１０の連結部分の平面図を示している。この図に示すように、本実施形態では２本の桁材１０が所定角度で突き合わされ連結されている。
【００２２】
このため、桁材１０の連結部分に連結される垂木１１は、いずれの桁材１０とも直交することがなく、傾斜して固定されることになる。この場合には特に、垂木１１と桁材１０の継ぎ目部分をシーリング材によって防水処理を施しても、防水性を充分に確保することは困難で、この継ぎ目部分から水漏れを生じることがある。
【００２３】
本実施形態では、第１の実施形態と同様に、垂木１１と桁材１０の連結部分に排水板３０を設けている。排水板３０の形状は第１の実施形態と同じであり、垂木１１の上面に対して当接すると共にネジ止め固定される。一方、桁材１０に対してはその上方に位置し、桁材１０の上面とは所定距離を有するように離隔して配置される。
【００２４】
排水板３０は、垂木１１に対して第１の実施形態と同様に水平に取付けられるので、シーリング材３１によって排水板３０と垂木１１の間の防水性を充分に確保することができる。そして、垂木１１からの水は排水板３０を介して桁材１０の上面に導かれ、さらに排水溝１０ａへと導かれる。すなわち、防水性の確保の困難な垂木１１と桁材１０の連結部分に水が浸入しないようにすることができるので、高い防水性を確保することができる。
【００２５】
次に、本発明の第３の実施形態について説明する。本実施形態では、桁材１０を上下方向に所定の角度を持って連結する部分に、さらに垂木１１を連結したものを示す。このような構造は、渡り廊下屋根を水平面から傾斜面にかけて設置する場合に用いられる。図９には、本実施形態における垂木１１とパネル１２の断面図を示している。この図に示すように、本実施形態では２本の桁材１０が所定角度で突き合わされ連結されている。
【００２６】
このため、桁材１０の連結部分に連結される垂木１１は、いずれの桁材１０とも上部に隙間を有するように突き合わされている。このためこの隙間部分を完全に埋めるように防水処理を施すのは困難であり、水漏れを生じる原因となる。
【００２７】
本実施形態では、第１及び第２の実施形態と同様に、垂木１１と桁材１０の連結部分に排水板３０を設けている。排水板３０の形状は第１及び第２の実施形態と同じであり、垂木１１の上面に対して当接すると共にネジ止め固定される。一方、桁材１０に対してはその上方に位置し、桁材１０の上面とは所定距離を有するように離隔して配置される。
【００２８】
排水板３０は、垂木１１に対して第１及び第２の実施形態と同様に水平に取付けられるので、シーリング材３１によって排水板３０と垂木１１の間の防水性を充分に確保することができ、かつ排水板３０は垂木１１と桁材１０の間の継ぎ目をまたぐように設けられるので、防水性の確保の困難な垂木１１と桁材１０の連結部分に水が浸入しないようにすることができて、高い防水性を確保することができる。
【００２９】
これまで本発明の実施形態について説明したが、本発明の適用はこれら実施形態には限られず、その技術的思想の範囲内において様々に適用されうるものである。例えば、第１の実施形態では、本発明の組立屋根１を左右両側の支柱２によって両側から支持するものを示したが、左右いずれかのみに支柱２を設け、片側から支持するものであってもよい。また、組立屋根１の長さや幅及び連結角度は、どのようなものであっても本発明を適用することができる。
【図面の簡単な説明】
【００３０】
【図１】第１の実施形態における組立屋根を用いた渡り廊下屋根の正面図である。
【図２】第１の実施形態における組立屋根を用いた渡り廊下屋根の側面図である。
【図３】垂木とパネルの断面図である。
【図４】垂木と桁材の連結部分の断面図である。
【図５】垂木と桁材の連結部分の平面図である。
【図６】垂木と桁材の連結部分の分解斜視図である。
【図７】防水処理を施した状態の垂木と桁材の連結部分の斜視図である。
【図８】第２の実施形態における垂木と桁材の連結部分の平面図である。
【図９】第３の実施形態における垂木とパネルの断面図である。
【符号の説明】
【００３１】
１    組立屋根
２    支柱
１０    桁材
１０ａ  排水溝
１０ｂ  側面
１０ｃ  開口
１１    垂木
１１ａ  取付部
１１ｂ  端面
１１ｃ  固定ブラケット
１２    パネル
１３    押さえ材
１４    周縁部カバー材
３０    排水板
３０ａ  壁部
３１    シーリング材
【図１】
0004612555.tif 000002
【図２】
0004612555.tif 000003
【図３】
0004612555.tif 000004
【図４】
0004612555.tif 000005
【図５】
0004612555.tif 000006
【図６】
0004612555.tif 000007
【図７】
0004612555.tif 000008
【図８】
0004612555.tif 000009
【図９】
0004612555.tif 000010